(57)【特許請求の範囲】
【請求項１】
複数のワッシャーと、これらワッシャーを保持するワッシャーホルダーを備え、このワッシャーホルダーは、前記複数のワッシャーの孔に通された軸と、この軸の両端部に形成され、前記ワッシャーの内径よりも大きな幅を有して前記軸が通されたワッシャーが軸から外れることを防止するストッパーを有し、これら両ストッパーのうちの少なくとも一方が、前記ワッシャーが通過できるように弾性変形可能となる取出用ストッパーで構成されていることを特徴とするワッシャーセット。
【請求項２】
前記複数のワッシャーと前記ワッシャーホルダーとが、前記複数のワッシャーの孔に前記軸を通した状態で同時に成形された合成樹脂成形品からなることを特徴とする請求項１に記載のワッシャーセット。
【請求項３】
前記ワッシャーホルダーは一体に形成された合成樹脂成形品からなり、前記軸をその軸方向から見てこの軸方向と直交する仮想直線で一方領域と他方領域の二領域に区分したとき、前記両ストッパーのうちの一方のストッパーが前記仮想直線よりも前記一方領域側に配置されると共に、他方のストッパーが前記仮想直線よりも前記他方領域側に配置されたことを特徴とする請求項１又は請求項２に記載のワッシャーセット。
【請求項４】
前記取出用ストッパーは、前記軸の軸方向において前記軸から離れる程幅が広くなったＶ字状に形成されると共に、その屈曲部分からなる先端部が前記軸の一端に接続された抜止部を有し、この抜止部の幅が前記ワッシャーの内径よりも大きくされたことを特徴とする請求項１乃至３のいずれか１項に記載のワッシャーセット。
【請求項５】
前記両ストッパーのうちの一方が前記取出用ストッパーで構成されると共に他方が挿入用ストッパーで構成され、この挿入用ストッパーは、前記軸の軸方向において取出用ストッパーから離れる程幅が狭くなるＶ字状の抜止部を有し、この抜止部の幅が前記ワッシャーの内径よりも大きくされたことを特徴とする請求項１乃至４のいずれか１項に記載のワッシャーセット。
【請求項６】
請求項１乃至５のいずれか１項に記載のワッシャーセットを成形する金型装置であって、固定型と可動型とからなる金型本体を備え、前記固定型の可動型との接合面に固定型側ピン挿入溝部が形成されると共に前記可動型の固定型との接合面に可動型側ピン挿入溝部が形成され、前記各ピン挿入溝部の長手方向の複数箇所にこのピン挿入溝部の内周面に沿ってワッシャー用長溝が形成され、前記固定型の可動型との接合面に、前記固定型側ピン挿入溝部の長手方向の一端部に通じる固定型側ストッパー形成用凹部が形成されると共に、前記可動型の固定型との接合面に、前記可動型側ピン挿入溝部の前記固定型側ストッパー形成用凹部とは反対側の端部に通じる可動型側ストッパー形成用凹部が形成され、
前記金型本体を型締めした状態で、前記固定型側ピン挿入溝部と前記可動型側ピン挿入溝部とが合わさってコア収納孔部が形成されると共に、前記固定型の各ワッシャー用長溝と前記可動型の各ワッシャー用長溝とが通じて前記コア収納孔部の長手方向から見て環状に連続したワッシャー形成用溝部が前記コア収納孔部の長手方向に複数形成され、
前記固定型側ピン挿入溝部にスライド自在に挿入される固定型側スライドピンと、前記可動型側ピン挿入溝部にスライド自在に挿入されて前記固定型側スライドピン挿入溝部に挿入された固定型側スライドピンと対向する可動型側スライドピンを備え、これら両スライドピンは他方のスライドピンに対向するコア構成部を有し、各コア構成部の他方のスライドピン側の面に軸用長溝が形成され、各コア構成部の他方のスライドピン側の面における前記軸用長溝の端部に隣接する部分を遮蔽部とし、
前記金型本体が型締めされて前記両スライドピンが対応するスライドピン挿入溝に挿入された際、前記両スライドピンのコア構成部が重ね合わされてコアが形成され、このコアと前記複数のワッシャー形成用溝部で複数のワッシャー用キャビティが形成され、前記コアの内部に前記各コア構成部の軸用長溝が合わさってなる軸用キャビティ部が形成され、且つ、前記固定型側ストッパー形成用凹部が、前記可動型側スライドピンの遮蔽部と前記可動型又は前記可動型側スライドピンの遮蔽部のみで遮蔽されて一方のストッパー用キャビティ部が形成されると共に、前記可動型側ストッパー形成用凹部が、固定型側スライドピンの遮蔽部と固定型又は前記固定型側スライドピンの遮蔽部のみで遮蔽されて他方のストッパー用キャビティが形成され、
前記軸用キャビティ部とこれに通じる両ストッパー用キャビティ部とでワッシャーホルダー用キャビティが構成され、前記複数のワッシャー用キャビティの夫々は独立した空間となり且つワッシャーホルダー用キャビティに対しても独立した空間となることを特徴とする金型装置。
【発明の詳細な説明】
【技術分野】
【０００１】
本願発明は、複数のワッシャーを備えたワッシャーセット及びこれを成形するための金型装置に関する。
【背景技術】
【０００２】
従来より浴室ユニットを施工する際にはワッシャーが用いられる。このワッシャーの使用例としては、例えば特許文献１のように浴槽エプロンを床パンに形成された堰部上に載置するにあたって、浴槽エプロンと堰部の間に介在させるワッシャーの厚みや枚数を変更して浴槽エプロンを高さ調整することが挙げられる。また、この他、ワッシャーは浴室に設置されるカウンターを高さ調整する際等にも用いられ、浴室ユニットを施工する上で多くのワッシャーが用いられる。
【先行技術文献】
【特許文献】
【０００３】
【特許文献１】特開２００９−２８２６５号公報
【発明の概要】
【発明が解決しようとする課題】
【０００４】
ところで、前記ワッシャーは紛失しやく、通常ビス等と一緒に数枚が袋にまとめて入れられた上で出荷され、施工現場に納入される。しかし、ビス等と共に乱雑に袋の中に入れられたワッシャーを取り出す作業は面倒であり、また、ワッシャーを袋から取り出す際に同梱のその他のワッシャーやビス等が落下して紛失する恐れもある。
【０００５】
本願発明は上記事情に鑑みてなされたものであって、複数のワッシャーをまとめて保管したり、持ち運んだりすることができることに加えて、容易にワッシャーを取り出すことができるワッシャーセットを提供することを課題とする。
【課題を解決するための手段】
【０００６】
上記課題を解決するために本願発明のワッシャーセットは、複数のワッシャーと、これらワッシャーを保持するワッシャーホルダーを備え、このワッシャーホルダーは、前記複数のワッシャーの孔に通された軸と、この軸の両端部に形成され、前記ワッシャーの内径よりも大きな幅を有して前記軸が通されたワッシャーが軸から外れることを防止するストッパーを有し、これら両ストッパーのうちの少なくとも一方が、前記ワッシャーが通過できるように弾性変形可能となる取出用ストッパーで構成されていることを特徴とする。
【０００７】
また、前記複数のワッシャーと前記ワッシャーホルダーとが、前記複数のワッシャーの孔に前記軸を通した状態で同時に成形された合成樹脂成形品からなることが好ましい。
【０００８】
また、前記ワッシャーホルダーは一体に形成された合成樹脂成形品からなり、前記軸をその軸方向から見てこの軸方向と直交する仮想直線で一方領域と他方領域の二領域に区分したとき、前記両ストッパーのうちの一方のストッパーが前記仮想直線よりも前記一方領域側に配置されると共に、他方のストッパーが前記仮想直線よりも前記他方領域側に配置されることが好ましい。
【０００９】
また、前記取出用ストッパーは、前記軸の軸方向において前記軸から離れる程幅が広くなったＶ字状に形成されると共に、その屈曲部分からなる先端部が前記軸の一端に接続された抜止部を有し、この抜止部の幅が前記ワッシャーの内径よりも大きくされることが好ましい。
【００１０】
また、前記両ストッパーのうちの一方が前記取出用ストッパーで構成されると共に他方が挿入用ストッパーで構成され、この挿入用ストッパーは、前記軸の軸方向において取出用ストッパーから離れる程幅が狭くなるＶ字状の抜止部を有し、この抜止部の幅が前記ワッシャーの内径よりも大きくされることが好ましい。
【００１１】
また、本願発明の前記ワッシャーセットを成形する金型装置は、固定型と可動型とからなる金型本体を備え、前記固定型の可動型との接合面に固定型側ピン挿入溝部が形成されると共に前記可動型の固定型との接合面に可動型側ピン挿入溝部が形成され、前記各ピン挿入溝部の長手方向の複数箇所にこのピン挿入溝部の内周面に沿ってワッシャー用長溝が形成され、前記固定型の可動型との接合面に、前記固定型側ピン挿入溝部の長手方向の一端部に通じる固定型側ストッパー形成用凹部が形成されると共に、前記可動型の固定型との接合面に、前記可動型側ピン挿入溝部の前記固定型側ストッパー形成用凹部とは反対側の端部に通じる可動型側ストッパー形成用凹部が形成され、金型本体を型締めした状態で、前記固定型側ピン挿入溝部と前記可動型側ピン挿入溝部とが合わさってコア収納孔部が形成されると共に、前記固定型の各ワッシャー用長溝と前記可動型の各ワッシャー用長溝とが通じて前記コア収納孔部の長手方向から見て環状に連続したワッシャー形成用溝部が前記コア収納孔部の長手方向に複数形成され、前記固定型側ピン挿入溝部にスライド自在に挿入される固定型側スライドピンと、前記可動型側ピン挿入溝部にスライド自在に挿入されて前記固定型側スライドピン挿入溝部に挿入された固定型側スライドピンと対向する可動型側スライドピンを備え、これら両スライドピンは他方のスライドピンに対向するコア構成部を有し、各コア構成部の他方のスライドピン側の面に軸用長溝が形成され、各コア構成部の他方のスライドピン側の面における前記軸用長溝の端部に隣接する部分を遮蔽部とし、前記金型本体が型締めされて前記両スライドピンが対応するスライドピン挿入溝に挿入された際、前記両スライドピンのコア構成部が重ね合わされてコアが形成され、このコアと前記複数のワッシャー形成用溝部で複数のワッシャー用キャビティが形成され、前記コアの内部に前記各コア構成部の軸用長溝が合わさってなる軸用キャビティ部が形成され、且つ、前記固定型側ストッパー形成用凹部が、前記可動型側スライドピンの遮蔽部と前記可動型又は前記可動型側スライドピンの遮蔽部のみで遮蔽されて一方のストッパー用キャビティ部が形成されると共に、前記可動型側ストッパー形成用凹部が、固定型側スライドピンの遮蔽部と固定型又は前記固定型側スライドピンの遮蔽部のみで遮蔽されて他方のストッパー用キャビティが形成され、前記軸用キャビティ部とこれに通じる両ストッパー用キャビティ部とでワッシャーホルダー用キャビティが構成され、前記複数のワッシャー用キャビティの夫々は独立した空間となり且つワッシャーホルダー用キャビティに対しても独立した空間となることを特徴とする。
【発明の効果】
【００１２】
本願発明にあっては、ワッシャーホルダーで複数のワッシャーを、まとめて保管したり、まとめて持ち運んだりできる。また、ワッシャーホルダーからワッシャーを容易に外すことができる。
【図面の簡単な説明】
【００１３】
【図１】本願発明の実施形態の一例のワッシャーセットを示し、（ａ）は平面図、（ｂ）は側面図、（ｃ）は正面図である。
【図２】ワッシャーセットと金型装置を示す上側から見た斜視図である。
【図３】同上の下側から見た斜視図である。
【図４】金型装置の型締め状態における側断面図である。
【図５】（ａ）は図４のＡ−Ａ断面図であり、（ｂ）は図４のＢ−Ｂ断面図であり、（ｃ）は図４のＣ−Ｃ断面図である。
【図６】他例のワッシャーセットの平面図である。
【図７】さらに他例のワッシャーセットの平面図である。
【図８】さらに他例のワッシャーセットの平面図である。
【発明を実施するための形態】
【００１４】
以下、本願発明の実施形態を添付図面に基づいて説明する。図１は本実施形態のワッシャーセット１の平面図、側面図、及び正面図である。
【００１５】
ワッシャーセット１は、複数のワッシャー２と、これらワッシャー２を保持するワッシャーホルダー３とで構成されている。
【００１６】
各ワッシャー２は、円環板状に一体に形成された合成樹脂成形品からなり、その中央には使用時にビスの軸等を通すための孔５が形成されている。これらワッシャー２は、例えば浴槽エプロンと堰部の間に介在させ、厚みや枚数を変更して浴槽エプロンを高さ調整したり、浴室に設置されるカウンターを高さ調整する際等に用いられる。
【００１７】
ワッシャーホルダー３は一体に形成された合成樹脂成形品からなり、軸６と、軸６の両端部に形成されたストッパー７とで構成されている。
【００１８】
軸６はその断面が各ワッシャー２の孔５よりも小径の円状に形成され、厚み方向に並べて配置された各ワッシャー２の孔５に通されている。
【００１９】
両ストッパー７は、常態で各ワッシャー２の内径よりも大きな幅を有して軸６が通された各ワッシャー２が軸６から外れることを防止する。両ストッパー７のうちの一方は取出用ストッパー７ａで構成され、他方は挿入用ストッパー７ｂで構成されている。
【００２０】
軸６が通された各ワッシャー７は、取出用ストッパー７ａを通過させることで軸６から取り出すことができる。逆に、ワッシャー７の孔５に軸６を挿入用ストッパー７ｂ側から通すことで、ワッシャーホルダー３で保持されるワッシャー７を増やすことができる。
【００２１】
取出用ストッパー７ａは、図１（ａ）のように軸６の軸方向において軸６から離れる程幅が広くなるＶ字状に形成された抜止部８と、このＶ字状の抜止部８の屈曲部分からなる先端部と軸６とを接続する取出側接続部９とで構成されている。
【００２２】
抜止部８は各ワッシャー２の内径よりも大きな幅を有し、これにより軸６が通された各ワッシャー２の取出用ストッパー７ａ側への脱落が防止されている。
【００２３】
図１（ｂ）のように取出側接続部９は断面円形の軸６の半部を軸方向に延ばしてなり、断面半円状に形成されている。抜止部８は、軸６の軸方向と直交する方向において取出側接続部９と同位置に配置されている。図１（ｃ）のように軸６をその軸方向と直交し且つ軸６の中心を通る仮想直線ａで一方領域１０と他方領域１１とに二等分したとき、取出用ストッパー７ａを構成する取出側接続部９と抜止部８は共に仮想直線ａよりも一方領域１０側に配置されている。
【００２４】
図１（ａ）のように挿入用ストッパー７ｂは、軸６の軸方向において取出用ストッパー７ａから離れる程幅が狭くなるＶ字状に形成された抜止部１２と、このＶ字状の抜止部１２の屈曲部分からなる先端部と軸６とを接続する挿入側接続部１３とで構成されている。抜止部１２もその幅が各ワッシャー２の内径よりも大きく、軸６が通された各ワッシャー２の挿入用ストッパー７ｂ側への脱落を防止する。
【００２５】
図１（ｂ）のように挿入側接続部１３は断面円形の軸６の半部を軸方向に伸ばしてなり、断面半円状に形成されている。抜止部１２は、軸６の軸方向と直交する方向において挿入側接続部１３と同位置に配置されている。図１（ｃ）のように挿入側接続部１３と抜止部１２は共に仮想直線ａよりも他方領域１１側に配置されている。
【００２６】
軸６からワッシャー２を外すには、軸６に通されたワッシャー２を、抜止部８の先端側から反対側へ向かって移動させて、取出用ストッパー７ａを通過させる。この際、Ｖ字状の抜止部８は、移動するワッシャー２により幅が徐々に狭まるように弾性変形させられる。このため、軸６からワッシャー２を簡単に外すことができる。また、このようにワッシャー２を外した後は、抜止部８が自身の弾性によりワッシャー２の内径よりも幅が広い状態に戻る。
【００２７】
ワッシャーホルダー３で保持されるワッシャー７を増やすには、ワッシャー７をＶ字状の抜止部１２の先端側から軸６側に向かって移動させて、挿入用ストッパー７ｂを通過させる。すると、ワッシャー７がＶ字状の抜止部１２をその幅が徐々に狭まるように弾性変形させる。このため、ワッシャー７に軸２を簡単に通すことができる。このように軸２をワッシャー７に通した後、抜止部１２は自身の弾性によりワッシャー２の内径よりも幅が広い状態に戻る。
【００２８】
本実施形態のワッシャーセット１は、ワッシャーホルダー３の軸６に通した複数のワッシャー２を、両ストッパー７ａ，７ｂで軸６から外れることを防止した状態で、まとめて保管したり、まとめて持ち運んだりできる。軸６に通された各ワッシャー２は取出用ストッパー７ａを弾性変形させることで簡単に軸６から外すことができる。また、ワッシャー２を外した後は、取出用ストッパー７ａが復元するので、ワッシャー２を取り出す際に他のワッシャー２が軸６から外れることも防止できる。
【００２９】
次に、図２乃至５に基づいてワッシャーセット１を成形する金型装置１５について説明する。
【００３０】
図２及び図３に示されるように、金型装置１５は、上型からなる固定型１６と下型からなる可動型１７とで構成された金型本体１８と、金型本体１８内でコア１９を形成するスライドピン２０を備えている。
【００３１】
金型装置１５は、ワッシャーセット用キャビティ２２（図４参照）を２個形成する。各ワッシャーセット用キャビティ２２は、金型本体１８とコア１９（図４参照）とで囲まれた空間からなり、各コア１９は二本のスライドピン２０で構成される。
【００３２】
固定型１６の可動型１７との接合面となる下面１６ａには、固定型１６側のスライドピン２０（以下、固定型側スライドピン２０ａと記載）がスライド自在に挿入される断面半円状の固定型側ピン挿入溝部２１ａが二条形成されている。
【００３３】
可動型１７の固定型１６との接合面となる上面１７ａには、可動型１７側のスライドピン２０（以下、可動型側スライドピン２０ｂと記載）がスライド自在に挿入される断面半円状の可動型側ピン挿入溝部２１ｂが二条形成されている。
【００３４】
各ピン挿入溝部２１ａ，２１ｂは互いに平行で、一方の固定型側ピン挿入溝部２１ａと一方の可動型側ピン挿入溝部２１ｂが対向し、他方の固定型側ピン挿入溝部２１ａと他方の可動型側ピン挿入溝部２１ｂが対向している。
【００３５】
各固定型側ピン挿入溝部２１ａは長手方向の両端のうちの一端のみが固定型１６の側面１６ｂから開口している。図２のように各可動型側ピン挿入溝部２１ｂも一端のみが可動型１７の側面１７ｂから開口しているが、この側面１７ｂは固定型１６の側面１６ｂとは反対側に位置している。つまり、固定型側ピン挿入溝部２１ａと可動型側ピン挿入溝部２１ｂは逆方向に開口している。
【００３６】
各ピン挿入溝部２１ａ，２１ｂの長手方向の複数箇所には、ピン挿入溝部２１ａ，２１ｂの内周面に沿って断面矩形状のワッシャー用長溝２５が形成されている。固定型側ピン挿入溝部２１ａに形成されたワッシャー用長溝２５（以下、ワッシャー用長溝２５ａと記載）と、可動型側ピン挿入溝部２１ｂに形成されたワッシャー用長溝２５（以下、ワッシャー用長溝２５ｂと記載）は対向する位置に形成されている。
【００３７】
固定型１６の下面１６ａには、固定型側ピン挿入溝部２１ａの長手方向における側面１６ｂと反対側の端部に通じる固定型側ストッパー形成用凹部２６ａが形成されている。この固定型側ストッパー形成用凹部２６ａは挿入用ストッパー７ｂの一方領域１０側の面を形成する。
【００３８】
可動型１７の上面１７ａには、可動型側ピン挿入溝部２１ｂの長手方向における側面１７ｂと反対側の端部に通じる可動型側ストッパー形成用凹部２６ｂが形成されている。この可動型側ストッパー形成用凹部２６ｂは取出用ストッパー７ａの他方領域１１側の面を形成する。
【００３９】
図４及び図５に示されるように金型本体１８が型締めされた状態では、固定型側ピン挿入溝部２１ａとこれに対向する可動型側ピン挿入溝部２１ｂが合わさって断面円形のコア収納孔部２７が形成される。同時に、固定型１６の各ワッシャー用長溝２５ａと、これらに対向する可動型１７の各ワッシャー用長溝２５ｂとが通じ、これによりコア収納孔部２７にはその長手方向から見て環状に連続したワッシャー形成用溝部２８が各コア収納孔部２７の長手方向に複数形成される。
【００４０】
前記型締め状態において、各固定型側スライドピン２０ａは対応する固定型側ピン挿入溝部２１ａに側面１６ｂ側の開口より挿入され、各可動型側スライドピン２０ｂは、対応する可動型側ピン挿入溝部２１ｂに側面１７ｂ側の開口より挿入される。これにより各コア収納孔部２７においては、固定型側スライドピン２０ａと可動型側スライドピン２０ｂとが上下方向に対向する。
【００４１】
図２及び図３に示されるように、各スライドピン２０は、先端側に同一のコア収納孔部２７に収納される他方のスライドピン２０に対向するコア構成部３０を有している。各コア構成部３０は軸方向から見て半円弧状の外面を有している。各コア構成部３０の他方のスライドピン２０側の面には、断面半円状でピン挿入溝部２１ａ，２１ｂと平行な軸用長溝３１が形成されている。各軸用長溝３１のスライドピン２０挿入方向における前端は、コア構成部３０の先端面から開口している。すなわち、各コア構成部３０の軸用長溝３１が形成された部分は円筒状に形成されている。
【００４２】
各コア構成部３０の他方のスライドピン２０側の面において、軸用長溝３１のスライドピン２０挿入方向における後方に位置して軸用長溝３１の端部に隣接する部分は遮蔽部３２となっている。各遮蔽部３２は、コア構成部３０の他方のスライドピン２０側の面における軸用長溝３１の幅方向両側部分と面一の平坦な面となる。このうち、固定型側スライドピン２０ａの遮蔽部３２は、取出用ストッパー７ａの一方領域１０側の面を形成し、可動型側スライドピン２０ｂの遮蔽部３２は、挿入用ストッパー７ｂの他方領域１１側の面を形成する。
【００４３】
金型本体１８が型締めされた状態で、固定型側スライドピン２０ａと可動型側スライドピン２０ｂとが対応するピン挿入溝部２１ａ，２１ｂの夫々に挿入されると、図４及び図５（ｂ）に示されるように両スライドピン２０ａ，２０ｂのコア構成部３０同士が上下に重ね合わされて円筒状のコア１９が形成される。同時にコア１９と前記複数のワッシャー形成用溝部２８で複数のワッシャー用キャビティ２９が形成される。これら複数のワッシャー用キャビティ２９の夫々は互いに独立した空間となり、互いに通じない。また、コア１９の内部には各コア構成部３０の軸用長溝３１が合わさってなる軸用キャビティ部３５が形成される。
【００４４】
さらに、図５（ｃ）のように、固定型側ストッパー形成用凹部２６ａが、可動型側スライドピン２０ｂの遮蔽部３２と可動型１７の上面１７ａとで遮蔽されて一方のストッパー用キャビティ部３６ａが形成される。また、図５（ａ）のように可動型側ストッパー形成用凹部２６ｂが、固定型側スライドピン２０ａの遮蔽部３２と固定型１６の下面１６ａとで遮蔽されて他方のストッパー用キャビティ部３６ｂが形成される。
【００４５】
図４のように、軸用キャビティ部３５とこれに通じる両ストッパー用キャビティ部３６ａ，３６ｂとでワッシャーホルダー用キャビティ３７が構成され、このワッシャーホルダー用キャビティ３７とワッシャー用キャビティ２９とでワッシャーセット用キャビティ２２が構成される。このワッシャーホルダー用キャビティ３７は前記複数のワッシャー用キャビティ２９に対して独立した空間となり、いずれのワッシャー用キャビティ２９にも通じない。
【００４６】
固定型１６の各固定型側ストッパー形成用凹部２６ａ及び各ワッシャー用長溝２５ａの内面にはゲート３３，３４が設けられている。
【００４７】
金型装置１５を用いてワッシャーセット１を成形するには、まず、金型本体１８を型締めし、各スライドピン２０ａ，２０ｂをピン挿入溝部２１ａ、２１ｂに挿入する。この際、各スライドピン２０ａ，２０ｂは、対応するピン挿入溝部２１ａ、２１ｂの端部開口より挿入される。すなわち、固定型側スライドピン２０ａと可動型側スライドピン２０ｂは逆方向から対応するピン挿入溝部２１ａ，２１ｂに挿入される。
【００４８】
このように各スライドピン２０ａ，２０ｂがピン挿入溝部２１ａ、２１ｂに挿入されると、前述のように２個のワッシャーホルダー用キャビティ３７が形成されると共に、各ワッシャーホルダー用キャビティ３７の軸用キャビティ部３５の周囲に複数のワッシャー用キャビティ２９が形成される。そして、この状態で、前記各ゲート３３、３４から樹脂を注入して、各ワッシャーホルダー用キャビティ３７内と各ワッシャー用キャビティ２９内に樹脂を充填することで、２個のワッシャーホルダー３と、これに保持される複数のワッシャー２とが同時に成形される。
【００４９】
成形後は、各スライドピン２０ａ、２０ｂを対応するピン挿入溝部２１ａ、２１ｂの端部開口より引き抜き、この後、金型本体１８を型開きして成形品である各ワッシャーセット１を固定型より取り出す。前記金型本体１８が型開きされたとき、各ワッシャーセット１は、既に各ワッシャー２がワッシャーホルダー３の軸６にまとめて通された状態となっている。
【００５０】
本実施形態の金型装置１５にあっては、ワッシャーセット１を構成するワッシャーホルダー３と各ワッシャー２とを、ワッシャーホルダー３の軸６を複数のワッシャー２の孔５に通した状態で同時に成形することができる。このため、ワッシャーホルダー３の軸にワッシャー２を通す作業を省略できる。また、このようなワッシャーセット１を成形するにあたって、固定型１６及び可動型１７からなる金型本体１８と、これに挿入されるスライドピン２０ａ，２０ｂとからなるシンプルな金型構造とすることができる。
【００５１】
また、図１（ｃ）のように両ストッパー７ａ，７ｂのうちの一方のストッパー７ａが仮想直線ａよりも一方領域１０側に配置されると共に、他方のストッパー７ｂが仮想直線ａよりも他方領域１１側に配置されるので、既述の成形が行えるとも言える。すなわち、このように両ストッパー７ａ，７ｂを配置することで、固定型側ストッパー形成用凹部２６ａの下方及び可動型側ストッパー形成用凹部２６ｂの上方にスライドピン２０を通過させるための空所を形成することができる。このため、既述のスライドピン２０を用いた軸６及びワッシャー２の成形が可能になる。
【００５２】
なお、ワッシャーホルダー３は、一方のストッパー７を取出用ストッパー７ａとすると共に他方のストッパー７を挿入用ストッパー７ｂとしたが、両ストッパー７を取出用ストッパー７ａとしてもよい。また、図６のように一方のストッパー７を取出用ストッパー７ａとすると共に、他方のストッパー７をワッシャー２を通過させることができないストッパー７ｃとしてもよい。図示例のストッパー７ｃは、前記挿入用ストッパー７ｂの抜止部１２を軸６と交差する直線状に形成したものである。また、参考例として、図７のように両ストッパー７をストッパー７ｃで構成することも考えられる。このものは例えば軸２の端部を切断することで軸６に通されたワッシャー２を取り出す。また、ワッシャーホルダー３の軸６の断面形状や、ストッパー７の形状もその他の形状であってもよい。
【００５３】
また、前記実施形態では、軸２に通されるワッシャー２の厚みを均一にしたが、図８のように軸２に通されるワッシャー２の厚みを異ならせてもよい。また、成形されるワッシャー２の色を異ならせてもよく、このようにすると図８のようにワッシャー２の厚みを異ならせた場合等にワッシャー２を容易に見分けることができる。また、各ワッシャー２はワッシャーホルダー３と一体に成形してもよい。この例としては、ワッシャーホルダー３の軸６とこれが通された各ワッシャー２の一部を連結部で連結し、成形後に連結部を切除することが考えられる。
【００５４】
また、金型装置１５は、ストッパー用キャビティ３６ａ，３６ｂを、ストッパー形成用凹部２６ａと遮蔽部３２のみで形成しても構わない。また、各ワッシャー２はワッシャーホルダー３から外れた状態で成形されるものであってもよく、さらに各ワッシャー２とワッシャーホルダー３は同時に成形されるものでなくてもよい。
【００５５】
また、ワッシャーホルダー３やワッシャー２は金属等のその他の材料で形成しても構わない。また、この他、本実施形態のワッシャーセット１は適宜設計変更可能である。
【符号の説明】
【００５６】
ａ  仮想直線
１  ワッシャーセット
２  ワッシャー
３  ワッシャーホルダー
５  孔
６  軸
７  ストッパー
７ａ  取出用ストッパー
７ｂ  挿入用ストッパー
８  抜止部
１０  一方領域
１１  他方領域
１２  抜止部
１５  金型装置
１６  固定型
１７  可動型
１８  金型本体
１９  コア
２０ａ  固定型側スライドピン
２０ｂ  可動型側スライドピン
２１ａ  固定型側ピン挿入溝部
２１ｂ  可動型側ピン挿入溝部
２５  ワッシャー用長溝
２６ａ  固定型側ストッパー形成用凹部
２６ｂ  可動型側ストッパー形成用凹部
２７  コア収納孔部
２８  ワッシャー形成用溝部
３１  軸用長溝
３２  遮蔽部
３５  軸用キャビティ部
３６ａ  ストッパー用キャビティ部
３６ｂ  ストッパー用キャビティ部
３７  ワッシャーホルダー用キャビティ
【図１】
0005444030.tif 000002
【図２】
0005444030.tif 000003
【図３】
0005444030.tif 000004
【図４】
0005444030.tif 000005
【図５】
0005444030.tif 000006
【図６】
0005444030.tif 000007
【図７】
0005444030.tif 000008
【図８】
0005444030.tif 000009